(57)【要約】【課題】ころ軸受用の分割保持器において、保持器セグメント間に生じる隙間を解消する。【解決手段】分割保持器は、周方向に沿って配置される複数の保持器セグメント６備えている。保持器セグメント６それぞれは、軸方向に対向する一対のリム部と、これらリム部の間に設けられ周方向に対向する一対の柱部２３，２４とを有している。一対のリム部の間であって一対の柱部２３，２４の間が単一のころ４を収容するためのポケット２５である。柱部２３の周方向外側の側面３２は、周方向隣りに位置する他の保持器セグメント６の柱部２４と接触可能である接触面３７を有しており、この接触面３７は、保持器中心線から放射状に延びる仮想面Ｋ１に対して傾斜している。【選択図】図４
2017044305.tif 000002
【特許請求の範囲】
【請求項１】
周方向に沿って配置される複数の保持器セグメントを備えているころ軸受用の分割保持器であって、
前記保持器セグメントは、軸方向に対向する一対のリム部と、前記一対のリム部の間に設けられ周方向に対向する一対の柱部と、を有し、一対の前記リム部の間であって一対の前記柱部の間が単一の前記ころを収容するためのポケットであり、
前記柱部の周方向外側の側面は、周方向隣りに位置する他の保持器セグメントの前記柱部と接触可能である接触面を有し、
前記接触面は、保持器中心線から放射状に延びる仮想面に対して傾斜している、分割保持器。
【請求項２】
前記保持器セグメントが有する一方側の前記柱部の第１の前記接触面と他方側の前記柱部の第２の前記接触面とは、同じ周方向に傾斜している、請求項１に記載の分割保持器。
【請求項３】
前記保持器セグメントは、周方向隣りの前記保持器セグメントと相互の前記柱部において接触する状態から、更に大きくころの外周に沿って変位して傾くと、前記内輪又は外輪に接触することによって過度の前記変位を阻止する突起を有している、請求項１又は２に記載の分割保持器。
【請求項４】
前記柱部の前記周方向外側の側面は、前記接触面の径方向外側及び径方向内側の内の一方又は双方に、周方向隣りに位置する他の保持器セグメントの前記柱部と非接触となる非接触面を有している、請求項１〜３のいずれか一項に記載の分割保持器。
【請求項５】
前記柱部は、前記周方向外側の側面の少なくとも径方向外側の縁部にアール面を有している、請求項１〜４のいずれか一項に記載の分割保持器。
【請求項６】
内輪と、外輪と、前記内輪と前記外輪との間に形成される環状空間に配置されている複数のころと、複数の前記ころを保持するための分割保持器と、を備え、
前記分割保持器は、周方向に沿って配置される複数の保持器セグメントを有し、
前記保持器セグメントは、軸方向に対向する一対のリム部と、前記一対のリム部の間に設けられ周方向に対向する一対の柱部と、を有し、一対の前記リム部の間であって一対の前記柱部の間が単一の前記ころを収容するためのポケットであり、
前記柱部の周方向外側の側面は、周方向隣りに位置する他の保持器セグメントの前記柱部と接触可能である接触面を有し、
前記接触面は、保持器中心線から放射状に延びる仮想面に対して傾斜している、ころ軸受。
【発明の詳細な説明】
【技術分野】
【０００１】
本発明は、分割保持器及びころ軸受に関する。
【背景技術】
【０００２】
ころ軸受において、内輪と外輪との間を転動する複数のころを保持する保持器として、分割保持器が知られている（例えば特許文献１参照）。図９は、従来の分割保持器９９を備えているころ軸受９０の側面図である。
【０００３】
内輪９１と外輪９２との間に形成されている環状空間９３には、複数のころ９４と、これら複数のころ９４を保持するための分割保持器９９とが設けられている。分割保持器９９は複数の保持器セグメント９８を備えており、これら保持器セグメント９８は周方向に沿って並んで設けられており、全体として環状となっている。
【０００４】
各保持器セグメント９８は、図１０の斜視図に示すように、軸方向に対向する一対のリム部９７，９７と、これらリム部９７，９７の間に設けられている複数の柱部９６とを有している。一対のリム部９７，９７の間であって周方向で隣り合う柱部９６，９６の間が単一のころ９４を収容するためのポケット９５となる。
【先行技術文献】
【特許文献】
【０００５】
【特許文献１】実開平６−６７４６号公報
【発明の概要】
【発明が解決しようとする課題】
【０００６】
前記のような分割保持器９９では、図９に示すように、隣り合う保持器セグメント９８，９８間に周方向の隙間δが生じる。特に、軸受中心線Ｃ０が水平となる姿勢でころ軸受９０が用いられる場合、その環状空間９３の上側の領域において隙間δが生じやすい。また、各保持器セグメント９８の製造において、周方向についての寸法精度が低い場合、この隙間δが大きくなることがある。
【０００７】
保持器セグメント９８，９８間で大きな隙間δが生じていると、ころ軸受９０が回転した際に、保持器セグメント９８，９８同士が衝突を繰り返し、これにより異音（騒音）が発生したり、長期使用により保持器セグメント９８が破損したりするおそれがある。
【０００８】
そこで、本発明の目的は、ころ軸受用の分割保持器では保持器セグメント間に隙間が生じるが、この隙間を解消することを可能とする分割保持器、及びこのような分割保持器を備えているころ軸受を提供することにある。
【課題を解決するための手段】
【０００９】
本発明は、周方向に沿って配置される複数の保持器セグメントを備えているころ軸受用の分割保持器であって、前記保持器セグメントは、軸方向に対向する一対のリム部と、前記一対のリム部の間に設けられ周方向に対向する一対の柱部と、を有し、一対の前記リム部の間であって一対の前記柱部の間が単一の前記ころを収容するためのポケットであり、前記柱部の周方向外側の側面は、周方向隣りに位置する他の保持器セグメントの前記柱部と接触可能である接触面を有し、前記接触面は、保持器中心線から放射状に延びる仮想面に対して傾斜している。
【００１０】
この分割保持器によれば、各保持器セグメントは、単一のポケットに単一のころを収容する構成であることから、ころの外周に沿って変位して傾くことができる。そして、周方向で隣り合う保持器セグメント間に隙間が生じていても、前記のとおり保持器セグメントが傾くことにより、その隣りの保持器セグメントと相互の柱部において接触した状態となることができる。そして、この際、柱部の接触面は保持器中心線から放射状に延びる仮想面に対して傾斜していることから前記隙間を解消させやすい。この結果、軸受が回転した際の保持器セグメント同士の衝突による異音の発生や破損を防止することが可能となる。
【００１１】
また、前記保持器セグメントが有する一方側の前記柱部の第１の前記接触面と他方側の前記柱部の第２の前記接触面とは、同じ周方向に傾斜している構成とすることができる。
これにより、第１接触面と第２接触面とのうちの一方のみが傾斜している場合と比較して、前記隙間をより一層解消させやすくなる。
【００１２】
また、前記保持器セグメントは、周方向隣りの前記保持器セグメントと相互の前記柱部において接触する状態から、更に大きくころの外周に沿って変位して傾くと、前記内輪又は外輪に接触することによって過度の前記変位を阻止する突起を有しているのが好ましい。
この構成によれば、保持器セグメントが傾き過ぎるのを防ぐことができる。
【００１３】
また、前記柱部の前記周方向外側の側面は、前記接触面の径方向外側及び径方向内側の内の一方又は双方に、周方向隣りに位置する他の保持器セグメントの前記柱部と非接触となる非接触面を有しているのが好ましい。
この構成によれば、柱部同士が接触する場合において、一方の柱部の縁部（角部）が他方の柱部に接触することによる傷を付けにくくすることが可能となる。
【００１４】
また、前記柱部は、前記周方向外側の側面の少なくとも径方向外側の縁部にアール面を有しているのが好ましい。
この構成によれば、柱部同士が接触する場合において、一方の柱部の縁部が他方の柱部に接触することによる傷を付けにくくすることが可能となる。
【００１５】
また、本発明のころ軸受は、内輪と、外輪と、前記内輪と前記外輪との間に形成される環状空間に配置されている複数のころと、複数の前記ころを保持するための分割保持器と、を備え、前記分割保持器は、周方向に沿って配置される複数の保持器セグメントを有し、前記保持器セグメントは、軸方向に対向する一対のリム部と、前記一対のリム部の間に設けられ周方向に対向する一対の柱部と、を有し、一対の前記リム部の間であって一対の前記柱部の間が単一の前記ころを収容するためのポケットであり、前記柱部の周方向外側の側面は、周方向隣りに位置する他の保持器セグメントの前記柱部と接触可能である接触面を有し、前記接触面は、保持器中心線から放射状に延びる仮想面に対して傾斜している。
【００１６】
このころ軸受によれば、分割保持器の各保持器セグメントは、単一のポケットに単一のころを収容する構成であることから、ころの外周に沿って変位して傾くことができる。そして、周方向で隣り合う保持器セグメント間に隙間が生じていても、前記のとおり保持器セグメントが傾くことにより、その隣りの保持器セグメントと相互の柱部において接触した状態となることができる。そして、この際、柱部の接触面は保持器中心線から放射状に延びる仮想面に対して傾斜していることから前記隙間を解消させやすい。この結果、軸受が回転した際の保持器セグメント同士の衝突による異音の発生や破損を防止することが可能となる。
【発明の効果】
【００１７】
本発明によれば、隣り合う保持器セグメント間に隙間が生じていても、保持器セグメントが有する柱部の接触面は保持器中心線から放射状に延びる仮想面に対して傾斜していることから、保持器セグメントが傾くことで前記隙間を解消することができ、この結果、軸受が回転した際の保持器セグメント同士の衝突による異音の発生や破損を防止することが可能となる。
【図面の簡単な説明】
【００１８】
【図１】ころ軸受の断面図である。
【図２】ころ軸受の側面図である。
【図３】保持器セグメントの斜視図である。
【図４】図３のＡ−Ａ矢視断面図である。
【図５】分割保持器の一部を示す説明図であり、保持器セグメントが傾く前の状態を示している。
【図６】分割保持器の一部を示す説明図であり、保持器セグメントが傾いた状態を示している。
【図７】保持器セグメントの説明図である。
【図８】保持器セグメントの変形例を示す説明図である。
【図９】従来の分割保持器を備えているころ軸受の側面図である。
【図１０】従来の保持器セグメントの斜視図である。
【発明を実施するための形態】
【００１９】
以下、本発明の実施形態について説明する。
図１は、ころ軸受１の断面図である。ころ軸受１は、内輪２と、外輪３と、これら内輪２と外輪３との間に形成される環状空間５０に配置されている複数のころ４と、これら複数のころ４を保持するための分割保持器５とを備えている。本実施形態のころ４は円すいころであり、ここで説明するころ軸受１は円すいころ軸受である。そして、環状空間５０には潤滑剤が設けられており、ころ軸受１はこの潤滑剤によって潤滑される。
【００２０】
外輪３の内周側には、ころ４が転動する外輪軌道面３ａが形成されており、この外輪軌道面３ａを含む外輪３の内周面は円すい面からなる。
内輪２の外周側には、外輪軌道面３ａと対向する位置に、ころ４が転動する内輪軌道面２ａが形成されている。内輪軌道面２ａは円すい面からなる。また、内輪２の外周側において、内輪軌道面２ａを挟んで軸方向両側に、径方向外側に突出している大鍔部２ｂ及び小鍔部２ｃが形成されている。大鍔部２ｂは、ころ４の軸方向一方側の大端面４ａと接触する。
【００２１】
図２は、ころ軸受１の側面図である。分割保持器５は複数（ころ４と同数）の保持器セグメント６を有しており、これら保持器セグメント６は、環状空間５０に周方向に沿って配置され、全体として環状となっている。なお、各保持器セグメント６は同じ構成である。図２では、保持器セグメント６を周方向に沿って均等に配置した状態を示しており、周方向で隣り合う保持器セグメント６，６の間には隙間δが形成される。本実施形態のように、ころ軸受１の中心線Ｃ０が水平となる姿勢で用いられる場合、環状空間５０の上側の領域において隙間δが生じやすく、また、隙間δが大きくなりやすい。
【００２２】
図３は、保持器セグメント６の斜視図である。保持器セグメント６は、軸方向に間隔をあけて互いに対向する一対のリム部２１，２２と、これら一対のリム部２１，２２の間に設けられ周方向に間隔をあけて互いに対向する一対の柱部２３，２４とを有している。そして、一対のリム部２１，２２の間であって一対の柱部２３，２４の間が、単一のころ４を収容するためのポケット２５となる。保持器セグメント６は合成樹脂製であり、射出成形によってリム部２１，２２及び柱部２３，２４は一体成形される。
【００２３】
また、保持器セグメント６は、後にも説明するが、この保持器セグメント６が傾くと内輪２に接触することによって過度の傾きを阻止する突起２６，２７を有している。突起２６，２７は、リム部２１，２２それぞれの径方向内側面に設けられており、リム部２１，２２から更に径方向内側に向かって突出している。
【００２４】
図４は、図３のＡ−Ａ矢視断面図である。この図は、ころ４の中心線Ｃ１に平行な方向から見た場合の断面図である。
ここで、保持器セグメント６における周方向の位置に関して、ポケット２５側（ポケット２５の中央側）を周方向内側と呼び、ポケット２５（ポケット２５の中央）から離れる側を周方向外側と呼ぶ。つまり、図４において、第１柱部２３の右側の面が周方向内側の側面３１となり、左側の面が周方向外側の側面３２となる。また、図４において、第２柱部２４の左側の面が周方向内側の側面３５となり、右側の面が周方向外側の側面３６となる。なお、以下の説明において、周方向内側の側面３１，３５を内側面３１，３５と呼び、周方向外側の側面３２，３６を外側面３２，３６と呼ぶ。
【００２５】
内側面３１，３５は、ころ４の外周面４ｃと接触可能となるポケット面である。図４に示す断面において、内側面３１，３５の周方向の間隔は、ポケット２５の径方向中央部において、ころ４（の直径）よりも大きくなっているが、ポケット２５の径方向外側部及び径方向内側部において、ころ４（の直径）よりも小さくなっている。また、内側面３１，３５ところ４との間には周方向の隙間及び径方向の隙間が設けられている。これにより、保持器セグメント６に対してころ４は回転自在であると共に、保持器セグメント６はころ４によって径方向について位置決めされる。
【００２６】
ポケット２５は、径方向内側及び径方向外側において開口しており、いずれか一方からころ４をポケット２５に入れることができる。ころ４をポケット２５に入れる際、柱部２３，２４を僅かに弾性変形させる。
【００２７】
以上の構成を備えているころ軸受１では、図２に示すように、複数の保持器セグメント６を環状空間５０において環状に配置することにより分割保持器５が構成される。そして、単一の保持器セグメント６に単一のころ４が保持されており、分割保持器５の全体として複数のころ４を周方向に沿って間隔をあけて保持することができる。そして、ころ軸受１（本実施形態では内輪２）が回転すると、各ころ４は内輪軌道面２ａ及び外輪軌道面３ａを転動することができる。
そして、各保持器セグメント６は、ころ４の外周に沿って変位して（ころ４の中心線Ｃ１回りに変位して）傾くことができる（図５及び図６参照）。なお、図５及び図６は、分割保持器５の一部を示す説明図であり、図５は保持器セグメント６が傾く前の状態を示しており、図６は保持器セグメント６が傾いた状態を示している。
【００２８】
図４及び図５に示す状態は、保持器セグメント６が傾いていない状態を示しており、この状態を中立にある状態（中立状態）と呼ぶ。保持器セグメント６が中立にある状態では、例えば、図４に示す断面において、この保持器セグメント６の径方向内側面６ａ及び径方向外側面６ｂが、分割保持器５の中心線Ｃ２（図２参照、以下、保持器中心線Ｃ２という）を中心とする仮想円に接する、又は、この仮想円と一致する状態にある。これに対して、保持器セグメント６が傾くと、径方向内側面６ａ及び径方向外側面６ｂは、前記仮想円と交差することになる。また、図４に示すような任意の断面において、中立状態にある保持器セグメント６のピッチ円Ｑ１と、ころ４のピッチ円Ｑ２とは一致している。
【００２９】
そして、図５に示す中立状態から、図６に示すように保持器セグメント６が傾くと、周方向で隣り合う保持器セグメント６，６同士が柱部２３，２４において接触する。つまり、第１柱部２３の外側面３２の一部は、周方向隣りに位置する他の保持器セグメント６の第２柱部２４（の外側面３６の一部）と接触可能である第１接触面３７となる。そして、第２柱部２４の外側面３６の一部は、周方向隣りに位置する他の保持器セグメント６の第１柱部２３（の外側面３２の一部）と接触可能である第２接触面３８となる。
【００３０】
ここで、ころ軸受１が回転すると（本実施形態では図５及び図６に示すように内輪２が矢印Ｒ１方向に回転すると）、各ころ４は、その回転方向に公転すると共に、ころ４の中心線Ｃ１回りに自転する。ころ４の自転方向を図６では矢印ｒ１方向としている。このようなころ４の自転により、保持器セグメント６はころ４につれられてころ４の外周に沿って変位して傾く。特に、ころ４と保持器セグメント６との間には潤滑油が介在していることから、この潤滑剤の粘性力によって、保持器セグメント６はころ４につれられて変位しやすくなっている。これにより、ころ軸受１が回転すると、各保持器セグメント６は図５に示す中立状態から図６に示す傾いた状態となりやすく、周方向で隣り合う保持器セグメント６，６同士が柱部２３，２４において接触する。また、潤滑剤の粘性力によって、隣り合う保持器セグメント６，６同士が接触した状態が維持される。
【００３１】
そして、図４に示すように、保持器セグメント６が中立にある状態で、第１柱部２３の外側面３２が有する第１接触面３７は、保持器中心線Ｃ２（図２参照）から放射状に延びる第１仮想面Ｋ１に対して傾斜しており、また、第２柱部２４の外側面３６が有する第２接触面３８は、保持器中心線Ｃ２から放射状に延びる第２仮想面Ｋ２に対して傾斜している。なお、保持器中心線Ｃ２は、環状に配置した複数の保持器セグメント６を含む分割保持器５の中心線であり、ころ軸受１の中心線Ｃ０と一致している。
【００３２】
第１仮想面Ｋ１は、一方の外側面３２の径方向中央部を通過する面であり、第２仮想面Ｋ２は、他方の外側面３６の径方向中央部を通過する面である。そして、本実施形態では、図４に示すように、一方側の第１柱部２３の第１接触面３７（その径方向外側の領域３７ａ）は、第１仮想面Ｋ１に対してころ軸受１の回転方向後方側（矢印Ｒ１方向後方側：図４では左側）に傾斜しており、他方側の第２柱部２４の第２接触面３８（その径方向外側の領域３８ａ）は、第２仮想面Ｋ２に対してころ軸受１の回転方向後方側（矢印Ｒ１方向後方側：図４では左側）に傾斜している。つまり、第１接触面３７と第２接触面３８とは同じ周方向に傾斜している。第１仮想面Ｋ１に対する第１接触面３７の傾斜角度θ１と、第２仮想面Ｋ２に対する第２接触面３８の傾斜角度θ２とを等しくしてもよい。
【００３３】
第１柱部２３は、外側面３２の径方向外側の縁部４３に凸のアール面４４を有しており、この外側面３２の径方向内側の縁部４２にも凸のアール面４５を有している。更に、第２柱部２４は、外側面３６の径方向外側の縁部４７に凸のアール面４８を有しており、この外側面３６の径方向内側の縁部４６にも凸のアール面４９を有している。
【００３４】
以上の構成を備えているころ軸受１によれば、各保持器セグメント６は単一のポケット２５に単一のころ４を収容する構成であることから、前記のとおり、ころ軸受１が回転すると、図６に示すように、ころ４につれられて各保持器セグメント６がころ４の外周に沿って変位して傾く。このように、保持器セグメント６が傾いた状態（傾斜状態）では、中立状態（図４に示す状態）よりも、接触面３７（３８）は仮想面Ｋ１（Ｋ２）に対する傾斜角度θ１（θ２）が大きくなる。
【００３５】
そして、特に環状空間５０の上側の領域において、周方向で隣り合う保持器セグメント６，６間に隙間δ（図５参照）が生じ易いが、前記のとおり、保持器セグメント６が傾くことにより（図６参照）、その隣りの保持器セグメント６と相互の柱部２３，２４において接触した状態となる。そして、柱部２３（２４）の接触面３７（３８）は前記仮想面Ｋ１（Ｋ２）に対して傾斜していることから、前記隙間δを解消させやすく、この結果、ころ軸受１が回転しても、保持器セグメント６，６同士の衝突による異音の発生や破損を防止することが可能となる。
【００３６】
接触面３７が仮想面Ｋ１に対して傾斜していることで、前記隙間δを解消させやすくしていることについて、図７により説明する。図７において、実線は本実施形態の保持器セグメント６を示しており、破線は比較のための保持器セグメント６１を示している。なお、両者とも中立状態にある。これら保持器セグメント６（６１）が前記のとおり傾くと、接触面３７（６７）のうちの径方向外側の領域３７ａ（６７ａ）において、隣りの保持器セグメント６（６７）と接触することとなる。そして、本実施形態の保持器セグメント６の接触面３７の径方向外側の領域３７ａ（実線）は、保持器セグメント６１の接触面６７の径方向外側の領域６７ａ（破線）と比較すると、隣り（図７では左側）に位置する保持器セグメント６（６７）側へ大きく張り出している。すなわち、本実施形態では、接触面３７が仮想面Ｋ１に対して傾斜していることで、この接触面３７において実質的に隣りの保持器セグメント６と接触する径方向外側の領域３７ａが、その保持器セグメント６側へ張り出すことができ、これにより、保持器セグメント６が少し傾くことで、隣りの保持器セグメント６との隙間δを解消することができる。
【００３７】
また、本実施形態では、図４により既に説明したように、保持器セグメント６が有する第１柱部２３の第１接触面３７と、第２柱部２４の第２接触面３８とは、同じ周方向に傾斜していることから、第２接触面３８の径方向内側の領域３８ｂが、その隣りの保持器セグメント６側へ大きく張り出しており、隙間δをより一層解消させやすくしている。
【００３８】
ここで、複数個の保持器セグメント６が傾くことによって解消することが可能となる周方向の隙間δの値について説明する。Ｎ個の保持器セグメント６が角度αについて傾くことによってその隣りの保持器セグメント６と接触し、これにより解消することが可能となる隙間δは、次の式（１）によって与えられる。
δ≒（１／ｃｏｓα−１）×Ｌ×Ｎ  ・・・  （１）
なお、式（１）のＬは、保持器セグメント６の代表寸法であり、本実施形態では図５及び図６に示すように保持器セグメント６の中心（径方向の中心であり周方向の中心）を通過する幅寸法である。
【００３９】
また、本実施形態では、図６に示すように、隣り合う保持器セグメント６，６の柱部２３，２４同士が接触する場合において、一方の柱部２３の縁部４３が他方の柱部２４に接触することによる傷を付けにくくするために、図４に示すように、柱部２３は、外側面３２の少なくとも径方向外側の縁部４３にアール面４４を有している。
【００４０】
そして、前記のとおり、保持器セグメント６は、径方向内側に突起２７を有している。この突起２７は、保持器セグメント６がころ４の外周に沿って変位して大きく（過度に）傾くと、内輪２の一部（本実施形態では、大鍔部２ｂの外周面）に接触する。このため、保持器セグメント６が、その周方向隣りの保持器セグメント６と相互の柱部２３，２４において面により接触する状態（図６参照）から、更に大きく傾くと、突起２７は、内輪２の一部（大鍔部２ｂ）に接触することによって過度の前記変位を阻止することができる。この突起２７によれば、保持器セグメント６が傾き過ぎるのを防ぐことができ、隣り合う保持器セグメント６，６同士の面接触状態を可及的に維持させることが可能となる。
なお、突起２７は、保持器セグメント６の径方向内側ではなく、径方向外側に設けられてもよい。この場合、径方向外側の突起は外輪３の内周面の一部と接触可能であり、これにより保持器セグメント６が傾き過ぎるのを防ぐことができる。
【００４１】
図８は、保持器セグメント６の変形例を示す説明図である。図６に示す形態と比較して、図８に示す保持器セグメント６では、柱部２３の外側面３２（及び柱部２４の外側面３６）の形態が異なるが、その他は同じである。図８に示すように、外側面３２は、図６の形態と同様に接触面３７を有している他に、この接触面３７の径方向外側に、非接触面３９を有している。
つまり、接触面３７は、保持器セグメント６が傾いた状態で、周方向隣りに位置する他の保持器セグメント６の柱部２４の外側面３６と接触可能であり、また、この接触面３７は、中立状態において、保持器中心線Ｃ２（図２参照）から放射状に延びる仮想面Ｋ１に対して傾斜している。
そして、図８に示すように、非接触面３９は、この接触面３７と連続して形成されているが接触面３７から折れ曲がった面となっており、接触面３７，３８同士が面によって接触した状態で、柱部２４の外側面３６と非接触となる面である。つまり、接触面３７，３８同士が面によって接触した状態で、非接触面３９と外側面３６との間に隙間が形成されている。
【００４２】
この非接触面３９によれば、柱部２３，２４同士が接触する場合において、一方の柱部２３の縁部４３が他方の柱部２４に接触することによる傷を付けにくくすることが可能となる。
【００４３】
また、図８に示す形態では、更に、左側の保持器セグメント６の外側面３６は接触面３８を有している他に、この接触面３８の径方向内側に、非接触面４０を有している。この非接触面４０は、接触面３８と連続して形成されているが接触面３８から折れ曲がった面となっており、接触面３８，３７同士が面によって接触した状態で、柱部２３の外側面３２と非接触となる面である。つまり、接触面３８，３７同士が面によって接触した状態で、非接触面４０と外側面３２との間に隙間が形成されている。この非接触面４０によれば、柱部２３，２４同士が接触する場合において、柱部２４の径方向内側の縁部が柱部２３に接触することによる傷を付けにくくすることが可能となる。
更に、この図８に示す形態においても、柱部２３は、外側面３２の径方向外側の縁部４３にアール面４４を有しており、更に、径方向内側の縁部にもアール面４４ａを有している。
【００４４】
更に、図８に示す形態においても、保持器セグメント６は、突起２７を有している。この突起２７は、保持器セグメント６がころ４の外周に沿って（中心線Ｃ１回りに）変位して大きく（過度に）傾くと、内輪２の一部（本実施形態では、大鍔部２ｂの外周面）に接触する。このため、保持器セグメント６が、その周方向隣りの保持器セグメント６と相互の柱部２３，２４において面により接触する状態から、更に大きく傾くと、突起２７は、内輪２の一部（大鍔部２ｂ）に接触することによって過度の前記変位を阻止することができる。この結果、保持器セグメント６は傾くことが可能であって、これにより保持器セグメント６，６間の隙間（δ）を解消でき、また、突起２７によってその傾きを制限することができ、そして、非接触面３９は、対向する（隣の）柱部２４の外側面３６と非接触の状態を保つことが可能となる。
なお、このような機能を奏するために、突起２７は、保持器セグメント６の径方向内側ではなく、径方向外側に設けられていてもよい。この場合、その突起は外輪３の内周面の一部と接触可能であり、これにより保持器セグメント６が傾き過ぎるのを防ぐことができる。
【００４５】
以上より、前記各形態のころ軸受１によれば、周方向で隣り合う保持器セグメント６，６間に隙間δが生じるが、保持器セグメント６が有する柱部２３（２４）の接触面３７（３８）は、保持器中心線Ｃ２から放射状に延びる仮想面Ｋ１（Ｋ２）に対して傾斜していることから、保持器セグメント６が傾くことで前記隙間δを解消することができる。この結果、ころ軸受１が回転した際の保持器セグメント６，６同士の衝突による異音の発生や破損を防止することが可能となる。
【００４６】
なお、前記各形態では、分割保持器５を円すいころ軸受用の保持器として説明したが、それ以外であってもよく、ころ４の形状に応じてポケット２５の形状を変えることで、その分割保持器を、例えば円筒ころ軸受にも適用することができる。
また、以上のとおり開示した実施形態はすべての点で例示であって制限的なものではない。つまり、本発明は、図示する形態に限らず本発明の範囲内において他の形態のものであってもよい。
【符号の説明】
【００４７】
１：ころ軸受          ２：内輪                ３：外輪
４：ころ              ５：分割保持器          ６：保持器セグメント
２１：第１リム部      ２２：第２リム部        ２３：第１柱部
２４：第２柱部        ２５：ポケット          ２６，２７：突起
３１：内側面（周方向内側の側面）      ３２：外側面（周方向外側の側面）
３５：内側面（周方向内側の側面）      ３６：外側面（周方向外側の側面）
３７：接触面          ３８：接触面            ３９，４０：非接触面
４３：径方向外側の縁部                        ４４：アール面
４７：径方向外側の縁部                        ４８：アール面
５０：環状空間                                Ｃ２：保持器中心線
Ｋ１：仮想面                                  Ｋ２：仮想面
【図１】
2017044305.tif 000003
【図２】
2017044305.tif 000004
【図３】
2017044305.tif 000005
【図４】
2017044305.tif 000006
【図５】
2017044305.tif 000007
【図６】
2017044305.tif 000008
【図７】
2017044305.tif 000009
【図８】
2017044305.tif 000010
【図９】
2017044305.tif 000011
【図１０】
2017044305.tif 000012